【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
同一性検証のための方法であって：
（ａ）以下の（ｉ）および（ｉｉ）を提供する工程、すなわち、
（ｉ）元素周期律表の６３番から６９番までの元素からなる群より選択される１種または複数種の希土類イオンを用いて錯体化したポリマーを含む、シート、フィルム、マーカー、ラベルまたは識別添加剤（ｔａｇｇａｎｔ）の形態の透明な発光ポリマー組成物；および
（ｉｉ）発光を測定するための装置；を提供する工程と、
（ｂ）前記透明な発光ポリマー組成物の発光を検出および特性解析する工程とを含むことを特徴とする方法。
【請求項２】
物品のための透明な発光ラベルであって、前記ラベルが、元素周期律表の６３番から６９番までの元素からなる群より選択される１種または複数種の希土類イオンを用いて錯体化したポリマーを含む組成物を含み、前記ラベルが、１メートル以上の距離から、正常視力（２０／２０  ｖｉｓｉｏｎ）を有する人でも視認できないことを特徴とするラベル。
【請求項３】
元素周期律表の６３番から６９番までの元素からなる群より選択される１種または複数種の希土類イオンを用いて錯体化したポリマーを含む組成物を含む透明な発光ラベルが接着された物品であって、前記ラベルがフィルム、粒子、繊維またはインキの形態であり、前記ラベルが、１メートル以上の距離から、正常視力を有する人でも視認できないラベルであることを特徴とする物品。
【請求項４】
マーカー、ラベル、識別添加剤または包装フィルムとして使用するための、単層または多層のシートまたはフィルムであって、元素周期律表の６３番から６９番までの元素からなる群より選択される１種または複数種の希土類イオンを用いて錯体化したポリマーを含む透明な発光ポリマー組成物の少なくとも１層を含むことを特徴とするシートまたはフィルム。
【請求項５】
透明な発光ポリマー組成物であって：
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであり、ＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする透明な発光ポリマー組成物。
【請求項６】
透明な発光ポリマー組成物であって：
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする透明な発光ポリマー組成物。
【請求項７】
物品の信憑性を検証するための方法であって、元素周期律表の６３番から６９番までの元素からなる群より選択される１種または複数種の希土類イオンを用いて錯体化したポリマーを含む透明な発光ポリマー組成物を提供する工程を含み、ここで前記ポリマーが、シート、フィルム、マーカー、ラベルまたは識別添加剤の形態であり、そして前記希土類イオンが、発光を検出するための手段により検出されるのに充分な量で含まれていることを特徴とする方法。
【手続補正２】
【補正対象書類名】明細書
【補正対象項目名】００９９
【補正方法】変更
【補正の内容】
【００９９】
認証ソフトウェアを追加のデータ収集ソフトウェアにリンクさせてもよい。たとえば、サンプル認証解析からの情報を、その解析の時期および場所に関する情報とリンクさせることができる。それらのデータは、本発明による発光組成物を用いてラベルした物品の在庫管理および追跡に関する情報を得るのに役立つ。
以下に本明細書に記載の発明につき列記する。
１．  同一性検証のための方法であって：
（ａ）以下の（ｉ）および（ｉｉ）を提供する工程、すなわち、
（ｉ）元素周期律表の６３番から６９番までの元素からなる群より選択される１種または複数種の希土類イオンを用いて錯体化したポリマーを含む、シート、フィルム、マーカー、ラベルまたは識別添加剤（ｔａｇｇａｎｔ）の形態の透明な発光ポリマー組成物；および
（ｉｉ）発光を測定するための装置；を提供する工程と、
（ｂ）前記透明な発光ポリマー組成物の発光を検出および特性解析する工程とを含むことを特徴とする方法。
２．  前記透明な発光ポリマー組成物が、少なくとも１種のエチレン・（メタ）アクリル酸コポリマーを含むことを特徴とする前記１．に記載の方法。
３．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸エステルおよびメタクリル酸エステルから選択されるコモノマーであり、ＸはＥ／Ｘ／Ｙコポリマーの約２〜約３０重量％、ＹはＥ／Ｘ／Ｙコポリマーの０〜約５０重量％である、Ｅ／Ｘ／Ｙコポリマー；および
（ｉｉ）０重量％〜約３０重量％の１種または複数種の有機酸またはそれらの塩；を含み、
前記組成物中の全成分におけるカルボン酸官能基を合わせたものの内の少なくとも一部が、１種または複数種の希土類金属カチオンにより、中和されていることを特徴とする前記２．に記載の方法。
４．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであり、ＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記３．に記載の方法。
５．  前記透明な発光ポリマー組成物が、（メタ）アクリル酸アルキルと（メタ）アクリル酸とのコポリマーを含むことを特徴とする前記１．に記載の方法。
６．  前記透明な発光ポリマー組成物が、
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記５．に記載の方法。
７.  前記透明な発光ポリマー組成物中における希土類イオンの量が、ポリマー組成物の全重量を基準にして約９重量％未満であることを特徴とする前記１．〜６．のいずれか一に記載の方法。
８．  前記透明な発光ポリマー組成物が、その内部の希土類カチオンと錯体形成することも可能な少なくとも１種の添加剤をさらに含むことを特徴とする前記１．〜７．のいずれか一に記載の方法。
９．  物品のための透明な発光ラベルであって、前記ラベルが、元素周期律表の６３番から６９番までの元素からなる群より選択される１種または複数種の希土類イオンを用いて錯体化したポリマーを含む組成物を含み、前記ラベルが、１メートル以上の距離から、正常視力（２０／２０  ｖｉｓｉｏｎ）を有する人でも視認できないことを特徴とするラベル。
１０．  ４００〜１８００ナノメートルの波長の５０％を超える範囲において、入射光（ｉｎｃｉｄｅｎｔ  ｌｉｇｈｔ／ｒａｄｉａｔｉｏｎ）の少なくとも５５％が厚み３ｍｍの前記ラベル材料の試験片を透過できるような前記透明度を有することを特徴とする前記９．に記載のラベル。
１１．  前記透明な発光ポリマー組成物が、少なくとも１種のエチレン・（メタ）アクリル酸コポリマーを含むことを特徴とする前記９．に記載のラベル。
１２．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸エステルおよびメタクリル酸エステルから選択されるコモノマーであり、ＸはＥ／Ｘ／Ｙコポリマーの約２〜約３０重量％、ＹはＥ／Ｘ／Ｙコポリマーの０〜約５０重量％である、Ｅ／Ｘ／Ｙコポリマー；および
（ｉｉ）０重量％〜約３０重量％の１種または複数種の有機酸またはそれらの塩；を含み、
前記組成物中の全成分におけるカルボン酸官能基を合わせたものの内の少なくとも一部が、１種または複数種の希土類金属カチオンにより、中和されていることを特徴とする前記１１．に記載のラベル。
１３．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであり、ＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記１２．に記載のラベル。
１４．  前記透明な発光ポリマー組成物が、（メタ）アクリル酸アルキルと（メタ）アクリル酸とのコポリマーを含むことを特徴とする前記９．に記載のラベル。
１５．  前記透明な発光ポリマー組成物が、
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記１４．に記載のラベル。
１６．  前記透明な発光ポリマー組成物中における希土類イオンの量が、ポリマー組成物の全重量を基準にして約９重量％未満であることを特徴とする前記９．〜１５．のいずれか一に記載のラベル。
１７．  前記透明な発光ポリマー組成物が、その内部の希土類カチオンと錯体形成もすることが可能な少なくとも１種の添加剤をさらに含むことを特徴とする前記９．〜１６．のいずれか一項に記載のラベル。
１８．  元素周期律表の６３番から６９番までの元素からなる群より選択される１種または複数種の希土類イオンを用いて錯体化したポリマーを含む組成物を含む透明な発光ラベルが接着された物品であって、前記ラベルがフィルム、粒子、繊維またはインキの形態であり、前記ラベルが、１メートル以上の距離から、正常視力を有する人でも視認できないラベルであることを特徴とする物品。
１９．  前記ラベルが、４００〜１８００ナノメートルの波長の５０％を超える範囲において、入射光の少なくとも５５％が厚み３ｍｍの前記ラベル材料の試験片を透過できるような透明度を有することを特徴とする前記１８．に記載の物品。
２０．  前記ラベルが、少なくとも１種のエチレン・（メタ）アクリル酸コポリマーを含む透明な発光ポリマー組成物を含むことを特徴とする前記１８．に記載の物品。
２１．  前記ラベルが、透明な発光ポリマー組成物を含み、該透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸エステルおよびメタクリル酸エステルから選択されるコモノマーであり、ＸはＥ／Ｘ／Ｙコポリマーの約２〜約３０重量％、ＹはＥ／Ｘ／Ｙコポリマーの０〜約５０重量％である、Ｅ／Ｘ／Ｙコポリマー；および
（ｉｉ）０重量％〜約３０重量％の１種または複数種の有機酸またはそれらの塩；を含み、
前記組成物中の全成分におけるカルボン酸官能基を合わせたものの内の少なくとも一部が、１種または複数種の希土類金属カチオンにより中和されていることを特徴とする前記２０．に記載の物品。
２２．  前記ラベルが、透明な発光ポリマー組成物を含み、該透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであるが、ここでＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記２１．に記載の物品。
２３．  前記ラベルが、（メタ）アクリル酸アルキルと（メタ）アクリル酸とのコポリマーを含む透明な発光ポリマー組成物を含むことを特徴とする前記１８．に記載の物品。
２４．  前記ラベルが、透明な発光ポリマー組成物を含み、該透明な発光ポリマー組成物が、
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記２３．に記載の物品。
２５．  前記透明な発光ポリマー組成物中における希土類イオンの量が、ポリマー組成物の全重量を基準にして約９重量％未満であることを特徴とする前記１８．〜２４．のいずれか一に記載の物品。
２６．  前記透明な発光ポリマー組成物が、その内部の希土類カチオンと錯体形成もすることが可能な少なくとも１種の添加剤をさらに含むことを特徴とする前記１８．〜２５．のいずれか一に記載の物品。
２７．  マーカー、ラベル、識別添加剤または包装フィルムとして使用するための、単層または多層のシートまたはフィルムであって、元素周期律表の６３番から６９番までの元素からなる群より選択される１種または複数種の希土類イオンを用いて錯体化したポリマーを含む透明な発光ポリマー組成物の少なくとも１層を含むことを特徴とするシートまたはフィルム。
２８．  前記透明な発光ポリマー組成物が、少なくとも１種のエチレン・（メタ）アクリル酸コポリマーを含むことを特徴とする前記２７．に記載のシートまたはフィルム。
２９．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸エステルおよびメタクリル酸エステルから選択されるコモノマーであり、ＸはＥ／Ｘ／Ｙコポリマーの約２〜約３０重量％、ＹはＥ／Ｘ／Ｙコポリマーの０〜約５０重量％である、Ｅ／Ｘ／Ｙコポリマー；および
（ｉｉ）０重量％〜約３０重量％の１種または複数種の有機酸またはそれらの塩；を含み、
前記組成物中の全成分におけるカルボン酸官能基を合わせたものの内の少なくとも一部が、１種または複数種の希土類金属カチオンにより中和されていることを特徴とする前記２８．に記載のシートまたはフィルム。
３０．  前記透明な発光ポリマー組成物が、
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであるが、ここでＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記２９．に記載のシートまたはフィルム。
３１．  前記透明な発光ポリマー組成物が、（メタ）アクリル酸アルキルと（メタ）アクリル酸とのコポリマーを含むことを特徴とする前記２７．に記載のシートまたはフィルム。
３２．  前記透明な発光ポリマー組成物が、
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする前記３１．に記載のシートまたはフィルム。
３３．  前記透明な発光ポリマー組成物中における希土類イオンの量が、ポリマー組成物の全重量を基準にして約９重量％未満であることを特徴とする前記２７．〜３２．のいずれか一項に記載のシートまたはフィルム。
３４．  前記透明な発光ポリマー組成物が、その内部の希土類カチオンと錯体形成もすることが可能な少なくとも１種の添加剤をさらに含むことを特徴とする前記２７．〜３３．のいずれか一項に記載のシートまたはフィルム。
３５．  透明な発光ポリマー組成物であって：
（ｉ）少なくとも１種のＥ／Ｘ／Ｙコポリマーであって、Ｅはエチレンであり、ＸはＣ３〜Ｃ８α，βエチレン性不飽和カルボン酸であり、Ｙはアクリル酸アルキルおよびメタクリル酸アルキルであって該アルキル基は１〜８個の炭素原子を有するものから選択される軟化性コモノマーであり、ＸはＥ／Ｘ／Ｙコポリマーの約２〜約３０重量％、ＹはＥ／Ｘ／Ｙコポリマーの０〜約４０重量％である、Ｅ／Ｘ／Ｙコポリマー；および
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする透明な発光ポリマー組成物。
３６．  希土類イオンの量が、ポリマー組成物の全重量を基準にして約９重量％未満であることを特徴とする前記３５．に記載の組成物。
３７．  前記透明な発光ポリマー組成物が、その内部の希土類カチオンと錯体形成もすることが可能な少なくとも１種の添加剤をさらに含むことを特徴とする前記３６．に記載の組成物。
３８．  透明な発光ポリマー組成物であって：
（ｉ）少なくとも１種のアクリル酸アルキルまたはメタクリル酸アルキル、およびアクリル酸またはメタクリル酸から選択される少なくとも１種の酸を含むコポリマー；および、
（ｉｉ）約１重量％〜約３０重量％の１種または複数種の有機酸またその塩；を含み、
前記組成物中の全成分におけるカルボン酸官能基を合わせたものの内の少なくとも一部が、ユウロピウムまたはテルビウムから選択される希土類カチオン、および任意選択的に１種または複数種の追加の希土類カチオンにより中和されていることを特徴とする透明な発光ポリマー組成物。
３９．  希土類イオンの量が、ポリマー組成物の全重量を基準にして約９重量％未満であることを特徴とする前記３８．に記載の組成物。
４０．  前記透明な発光ポリマー組成物が、その内部の希土類カチオンと錯体形成もすることが可能な少なくとも１種の添加剤をさらに含むことを特徴とする前記３９．に記載の組成物。
４１．  物品の信憑性を検証するための方法であって、元素周期律表の６３番から６９番までの元素からなる群より選択される１種または複数種の希土類イオンを用いて錯体化したポリマーを含む透明な発光ポリマー組成物を提供する工程を含み、ここで前記ポリマーが、シート、フィルム、マーカー、ラベルまたは識別添加剤の形態であり、そして前記希土類イオンが、発光を検出するための手段により検出されるのに充分な量で含まれていることを特徴とする方法。